(57)【要約】【課題】センサー駆動装置が提供される。【解決手段】本発明の一面に係るセンサー駆動装置は、第１基板と、前記第１基板上に配置されて前記第１基板と電気的に連結される第２基板と、前記第２基板上に配置されるイメージセンサーと、を含み、前記第２基板は、ボディーと、前記ボディーの一端から突出した第１突出部を含み、前記第１突出部は前記ボディーから第１方向に延びた第１延長部と、前記第１延長部で前記第１方向と異なる第２方向に延びた第２延長部を含む。【選択図】図２
2021536589.tif 000002
【特許請求の範囲】
【請求項１】
第１基板と、
前記第１基板上に配置されて前記第１基板と電気的に連結される第２基板と、
前記第２基板上に配置されるイメージセンサーと、を含み、
前記第２基板はボディーと、前記ボディーの一端から突出した第１突出部を含み、
前記第１突出部は、前記ボディーから第１方向に延びた第１延長部と、前記第１延長部から前記第１方向と異なる第２方向に延びた第２延長部を含む、センサー駆動装置。
【請求項２】
前記第２基板は、前記ボディーの前記一端から突出して前記第１突出部と離隔する第２突出部を含み、
前記第２突出部は、前記ボディーから前記第１方向に延びた第１延長部と前記第１延長部から前記第２方向に延びた第２延長部を含む、請求項１に記載のセンサー駆動装置。
【請求項３】
前記第２基板は、前記ボディーの他端から突出する第３突出部及び前記第３突出部と離隔する第４突出部を含み、
前記第３突出部は、前記ボディーから第３方向に延びた第１延長部と、前記第１延長部から前記第１方向と異なる第４方向に延びた第２延長部を含み、
前記第４突出部は、前記ボディーから前記第３方向に延びた第１延長部と前記第１延長部から前記第４方向に延びた第２延長部を含む、請求項２に記載のセンサー駆動装置。
【請求項４】
前記ボディーの一端と他端は、前記ボディーの外側面であり、
前記第１方向と、前記第３方向は、光軸方向であり、
前記第２方向と、前記第４方向は、前記ボディーと前記光軸方向にオーバーラップ（ｏｖｅｒｌａｐ）される領域を通る方向である、請求項３に記載のセンサー駆動装置。
【請求項５】
前記第１突出部の第２延長部と、前記第２突出部の第２延長部と、前記第３突出部と第２延長部と、前記第４突出部の第２延長部は、前記ボディーと前記光軸方向にオーバーラップされる、請求項４に記載のセンサー駆動装置。
【請求項６】
前記第２基板は、一端が前記第１突出部と連結されて、他端が前記第１基板上に配置される第１パッド部を含む、請求項１に記載のセンサー駆動装置。
【請求項７】
前記第１パッド部は、
前記前記第１突出部の前記第２延長部でベンディング形成される第１パッドユニットと、前記第１パッドユニットでベンディング形成される第２パッドユニットと、前記第２パッドユニットでベンディング形成される第３パッドユニットを含む、請求項６に記載のセンサー駆動装置。
【請求項８】
前記第２基板は、一端が前記第１突出部と連結されて、他端が前記第１基板上に配置される第１パッド部と、一端が前記第２突出部と連結されて、他端が前記第１基板上に配置される第２パッド部と、一端が前記第３突出部と連結されて、他端が前記第１基板上に配置される第３パッド部と、一端が前記第４突出部と連結されて、他端が前記第１基板上に配置される第４パッド部を含む、請求項５に記載のセンサー駆動装置。
【請求項９】
前記第１乃至第４パッド部は、互いに離隔配置されて、前記ボディーと光軸方向に非オーバーラップ（ｎｏｎ−ｏｖｅｒｌａｐ）される、請求項８に記載のセンサー駆動装置。
【請求項１０】
前記第２基板上に配置される第１駆動部と、
前記第１駆動部と対応する第２駆動部をさらに含む、請求項１に記載のセンサー駆動装置。
【発明の詳細な説明】
【技術分野】
【０００１】
本発明は、センサー駆動装置及びカメラモジュールに関する。
【背景技術】
【０００２】
以下で記述される内容は、本実施例に対する背景情報を提供するだけで従来技術を記載したのではない。
【０００３】
各種携帯端末の普及が広く一般化されて、無線インターネツトサービスが常用化されるにつれ携帯端末と関連した消費者の要求も多様化されて多様な種類の付加装置が携帯端末に取り付けられている。
【０００４】
その中から代表的なもので、被写体を写真や動画で撮影するカメラモジュールがある。一方、近年のカメラモジュールには、被写体の距離に応じて焦点を自動で調節するオートフォーカス機能が適用されている。さらに、撮影者の手振れによって映像が揺れる現象を防止する手振れ補正機能が適用されている。
【０００５】
一方、オートフォーカス機能や手振れ補正機能のために、カメラモジュールに適用されるセンサー駆動装置の大きさを減らして消費電力を減少させるための様々な試みが行われている。
【発明の概要】
【発明が解決しようとする課題】
【０００６】
本発明が解決しようとする課題は、センサー駆動装置の大きさを減らして消費電力を減少させることができるセンサー駆動装置及びカメラモジュールを提供することである。
【課題を解決するための手段】
【０００７】
前記課題を達成するための本発明の一面（ａｓｐｅｃｔ）に係るセンサー駆動装置は、第１基板と、前記第１基板上に配置されて前記第１基板と電気的に連結される第２基板と、前記第２基板上に配置されるイメージセンサーと、を含み、前記第２基板はボディーと、前記ボディーの一端から突出した第１突出部を含み、前記第１突出部は、前記ボディーから第１方向に延びた第１延長部と、前記第１延長部から前記第１方向と異なる第２方向に延びた第２延長部を含む。
【０００８】
さらに、前記第２基板は、前記ボディーの前記一端から突出して前記第１突出部と離隔する第２突出部を含み、前記第２突出部は、前記ボディーから前記第１方向に延びた第１延長部と前記第１延長部から前記第２方向に延びた第２延長部を含むことができる。
【０００９】
さらに、前記第２基板は、前記ボディーの他端から突出する第３突出部及び前記第３突出部と離隔する第４突出部を含み、前記第３突出部は、前記ボディーから第３方向に延びた第１延長部と、前記第１延長部から第１方向と異なる第４方向に延びた第２延長部を含み、前記第４突出部は、前記ボディーから前記第３方向に延びた第１延長部と前記第１延長部から前記第４方向に延びた第２延長部を含むことができる。
【００１０】
さらに、前記ボディーの一端と他端は、前記ボディーの外側面であり、前記第１方向と、前記第３方向は、光軸方向であり、前記第２方向と、前記第４方向は、前記ボディーと前記光軸方向にオーバーラップされる領域を通る方向であり得る。
【００１１】
さらに、前記第１突出部の第２延長部と、前記第２突出部の第２延長部と、前記第３突出部と第２延長部と、前記第４突出部の第２延長部は、前記ボディーと前記光軸方向にオーバーラップされることができる。
【００１２】
さらに、前記第２基板は、一端が前記第１突出部と連結されて、他端が、前記第１基板上に配置される第１パッド部を含むことができる。
【００１３】
さらに、前記第１パッド部は、前記前記第１突出部の前記第２延長部でベンディング形成される第１パッドユニットと、前記第１パッドユニットでベンディング形成される第２パッドユニットと、前記第２パッドユニットでベンディング形成される第３パッドユニットを含むことができる。
【００１４】
さらに、前記第２基板は、一端が前記第１突出部と連結されて、他端が前記第１基板上に配置される第１パッド部と、一端が前記第２突出部と連結されて、他端が前記第１基板上に配置される第２パッド部と、一端が前記第３突出部と連結されて、他端が前記第１基板上に配置される第３パッド部と、一端が前記第４突出部と連結されて、他端が前記第１基板上に配置される第４パッド部を含むことができる。
【００１５】
さらに、前記第１乃至第４パッド部は、互いに離隔配置されて、前記ボディーと光軸方向に非オーバーラップされることができる。
【００１６】
さらに、前記第２基板上に配置される第１駆動部と、前記第１駆動部と対応する第２駆動部をさらに含むことができる。
【００１７】
さらに、前記第１駆動部は、前記第２基板の前記ボディー上に配置される複数の第１駆動ユニットを含むことができる。
【００１８】
さらに、前記複数の第１駆動ユニットは、前記イメージセンサーの角の領域に隣接するように配置される４つの第１駆動ユニットと、前記イメージセンサーの辺の中心領域に隣接するように配置される二つの第１駆動ユニットを含むことができる。
【００１９】
さらに、前記第２駆動部は、前記第１駆動部の前記複数の第１駆動ユニットと対応する位置に配置される複数の第２駆動ユニットを含むことができる。
【００２０】
さらに、前記第１駆動部と前記第２駆動部との間に配置されるホルダーと、前記第２基板と前記ホルダーと結合する複数のワイヤーを含むことができる。
【００２１】
さらに、前記第１基板は、前記第２基板の前記ボディーが配置される開口部と、前記開口部と隣接するように配置されて前記第２基板の前記第１パッド部と結合するコネクターを含むことができる。
【００２２】
さらに、前記第１駆動部は、前記複数の第１駆動ユニットが配置される第３基板をさらに備え、前記第２駆動部は、前記複数の第２駆動ユニットが配置される第４基板をさらに備え、前記第３基板と前記第４基板は、前記イメージセンサーと光軸方向にオーバーラップされる開口部を含むことができる。
【００２３】
前記課題を達成するための本発明の一面（ａｓｐｅｃｔ）に係るセンサー駆動装置は、第１基板、前記第１基板上に配置されて前記第１基板と電気的に連結される第２基板、前記第２基板上に配置されるイメージセンサー、前記第２基板上に配置される第１駆動部、及び前記第１駆動部と対応するように配置される第２駆動部を含み、前記第１駆動部は、前記イメージセンサーの周りと隣接するように配置される複数の第１駆動ユニットを含み、前記第２基板の一部は、前記複数の第１駆動ユニットと光軸に垂直な方向にオーバーラップされるセンサー駆動装置。
【００２４】
さらに、前記複数の第１駆動ユニットは、前記イメージセンサーの第１辺の両端に隣接するように配置される二つの第１駆動ユニットと、前記イメージセンサーの前記第１辺と向かい合う第２辺の両端に隣接するように配置される二つの第１駆動ユニットと、前記イメージセンサーの第３辺と第４辺の中央領域に隣接するように配置される二つの第１駆動ユニットを含むことができる。
【００２５】
さらに、前記第２基板は、複数の突出部を含み、前記複数の突出部は、前記光軸方向に延びた第１延長部と、前記第１延長部と連結されて前記第１延長部と前記光軸方向に垂直な方向にオーバーラップされる第２延長部を含むセンサー駆動装置。
【００２６】
さらに、前記複数の第１駆動ユニット中一つは、前記第２延長部の一側に配置されて、他の一つは、前記第２延長部の他方に配置されることができる。
【００２７】
前記課題を達成するための本発明の一面（ａｓｐｅｃｔ）に係るカメラモジュールは、第１基板と、前記第１基板上に配置されて前記第１基板と電気的に連結される第２基板と、前記第２基板上に配置されるイメージセンサーと、前記第２基板の上に配置されるレンズホルダーと、前記レンズホルダーの内部に配置される液体レンズ部と、前記第２基板上に配置される第１駆動部、前記第１駆動部と対面する第２駆動部と、前記第２駆動部が配置されて前記第２基板の上に配置されて前記第１基板と電気的に連結される第３基板と、を含み、前記第２基板は、前記イメージセンサーが配置される第１領域と、前記第１領域の一端から第１方向にベンディングされた第２領域と、前記第２領域の一端から第２方向にベンディングされた第３領域を含むことができる。
【発明の効果】
【００２８】
本実施例を通してセンサー駆動装置の大きさを減らし消費電力を減少させることができるセンサー駆動装置及びカメラモジュールを提供することができる。
【図面の簡単な説明】
【００２９】
【図１】本発明の一実施例に係るカメラモジュールの斜視図である。
【図２】本発明の一実施例に係るカメラモジュールの分解斜視図である。
【図３】本発明の一実施例に係るカメラモジュールの一部構成の斜視図である。
【図４】本発明の一実施例に係るカメラモジュールの一部構成の平面図である。
【図５】本発明の一実施例に係るカメラモジュールの一部構成の正面図である。
【図６】本発明の一実施例に係るカメラモジュールの一部構成の側面図である。
【図７】本発明の一実施例に係るカメラモジュールの一部構成の展開図である。
【図８】本発明の一実施例に係るカメラモジュールの一部構成の斜視図である。
【図９】本発明の一実施例に係るカメラモジュールの一部構成の斜視図である。
【図１０】本発明の一実施例に係るカメラモジュールの動作図である。
【図１１】本発明の一実施例に係るカメラモジュールの動作図である。
【図１２】本発明の一実施例に係るカメラモジュールの動作図である。
【図１３】本発明の一実施例に係るカメラモジュールの動作図である。
【発明を実施するための形態】
【００３０】
以下、添付図面を参照して本発明の好ましい実施例を詳細に説明する。
【００３１】
但し、本発明の技術思想は説明される一部実施例に限定されるのではなく、互いに異なる様々な形態で具現されることができ、本発明の技術思想範囲内であれば、実施例の間にその構成要素のうち一つ以上を選択的に結合または置き換えて使うことができる。
【００３２】
さらに、本発明の実施例で使われる用語（技術及び科学的用語を含む）は、明白に特別に定義されて記述されない限り、本発明が属する技術分野で通常の知識を有する者に一般的に理解されることができる意味と解釈され、予め定義された用語とともに一般的に使われる用語は、関連技術の文脈上の意味を考慮してその意味を解釈することができる。
【００３３】
さらに、本発明の実施例で使われた用語は、実施例を説明するためのものであって、本発明を制限しようとするものではない。
【００３４】
本明細書において、単数型は、文面で特に言及しない限り複数型も包含できて、“Ａ及び（と） Ｂ、Ｃの少なくとも一つ（または一つ以上）”と記載される場合Ａ、Ｂ、Ｃで組み合わせることができるすべての組み合わせ中一つ以上を含むことができる。
【００３５】
さらに、本発明の実施例の構成要素を説明するにあたり、第１、第２、Ａ、Ｂ、（ａ）、（ｂ）等の用語を使うことができる。このような用語は、その構成要素を他の構成要素と区別するためのものだけで、その用語によって該当構成要素の本質や順番または順序などで限定されない。
【００３６】
なお、ある構成要素が別の構成要素に‘連結’、‘結合’、または‘接続’されると記載された場合、その構成要素はその別の構成要素に直接的に‘連結’、‘結合’、または‘接続’される場合だけでなく、その構成要素とその別の構成要素との間にあるさらに別の構成要素によって‘連結’、‘結合’、または‘接続’される場合も含むことができる。
【００３７】
さらに、各構成要素の“上”または“下”に形成または配置されると記載される場合、“上”または“下”は、二つの構成要素が互いに直接接触する場合だけでなく、一つ以上のさらに別の構成要素が二つの構成要素の間に形成または配置される場合も含む。さらに、“上”または“下”で表現される場合、一つの構成要素を基準に上側方向だけでなく下側方向の意味も含まれることができる。
【００３８】
以下で使われる‘光軸方向’は、ホルダーに結合されたレンズの光軸方向と定義する。一方、‘光軸方向’とは‘上下方向’、‘ｚ軸方向’などと対応することができる。
【００３９】
以下、本発明について添付図面によって詳細に説明する。
【００４０】
図１は、本発明の一実施例に係るカメラモジュールの斜視図である。図２は、本発明の一実施例に係るカメラモジュールの分解斜視図である。図３は、本発明の一実施例に係るカメラモジュールの一部構成の斜視図である。図４は、本発明の一実施例に係るカメラモジュールの一部構成の平面図である。図５は、本発明の一実施例に係るカメラモジュールの一部構成の正面図である。図６は、本発明の一実施例に係るカメラモジュールの一部構成の側面図である。図７は、本発明の一実施例に係るカメラモジュールの一部構成の展開図である。図８は、本発明の一実施例に係るカメラモジュールの一部構成の斜視図である。図９は、本発明の一実施例に係るカメラモジュールの一部構成の斜視図である。
【００４１】
図１乃至図１０を参照すると、本発明の一実施例に係るカメラモジュール１０は、第１基板１００と、第２基板２００と、イメージセンサー３００と、第１駆動部４００と、フィルター６００と、第２駆動部８００と、ホルダー９００と、ワイヤー１０００と、レンズホルダー１１００とレンズモジュールを含むことができるが、このうち一部の構成を除いて実施されてもよく、それ以外の追加的な構成を排除することもない。この時、レンズモジュールは、第１レンズ１２００部と、第２レンズ部１３００と、液体レンズ部１４００を含むことができる。さらに、カメラモジュールは、１０センサー駆動装置を含むことができる。センサー駆動装置は、第１基板１００と、第２基板２００と、第１駆動部４００と、第２駆動部８００を含むことができるが、それ以外の追加的な構成を排除しない。さらに、カメラモジュール１０は、光学機器に含まれることができる。光学機器は、カメラモジュール１０、ディスプレイ部、通信モジュール、メモリー格納部、バッテリーのうち少なくとも一つ以上を実装するハウジングを含むことができる。
【００４２】
カメラモジュール１０は、第１基板１００を含むことができる。第１基板１００には第２基板２００が配置されることができる。第１基板１００は、第２基板２００と電気的に連結されることができる。第１基板１００にはホルダー９００が配置されることができる。第１基板１００と第２基板２００は、一体で形成されることもできる。第１基板１００は、第１開口部と１１０と、コネクター１２０と、素子１０２と、ＦＰＣＢ（Ｆｌｅｘｉｂｌｅ  Ｐｒｉｎｔｅｄ  Ｃｉｒｃｕｉｔ  Ｂｏａｒｄ）１０４と、外部コネクター１０６を含むことができる。
【００４３】
第１基板１００は、第１開口部１１０を含むことができる。第１開口部１１０には第２基板２００のボディー２１０が配置されることができる。第１開口部１１０は、第２基板２００のボディー２１０より大きく形成されることができる。第１開口部１１０は、第２基板２００より小さく形成されることができる。第１開口部１１０は、第２基板２００のボディー２１０と、イメージセンサー３００と、第１駆動部４００と、第３基板５００とフィルター６００と、第４基板７００と、第２駆動部８００と、ホルダー９００のうち少なくとも一部と、ワイヤー１０００と、レンズホルダー１１００と、第１レンズ部１２００と、第２レンズ部１３００と、液体レンズ部１４００と光軸方向にオーバーラップされることができる。
【００４４】
第１基板１００は、コネクター１２０を含むことができる。コネクター１２０は、第１基板１００の表面に配置されることができる。コネクター１２０は、開口部１１０と隣接する位置に配置されることができる。コネクター１２０は、開口部１１０の長辺と隣接する位置に配置されることができる。
【００４５】
コネクター１２０は、第２基板２００のパッド部２２０と結合することができる。コネクター１２０は、第２基板２００のパッド部２２０と電気的に連結されることができる。コネクター１２０は、複数のコネクターを含むことができる。コネクター１２０は、第１乃至第４コネクター１２２、１２４、１２６、１２８を含むことができる。第１乃至第４コネクター１２２、１２４、１２６、１２８は、互いに離隔配置されることができる。第１及び第３コネクター１２２、１２６は、開口部１１０の第１長辺に隣接するように配置されて、第２及び第４コネクター１２４、１２８は、開口部１１０と第１長辺と向かい合う第２長辺に隣接するように配置されることができる。第１コネクター１２２は、第１パッド部２２０１と電気的に連結されて、第２コネクター１２４は、第２パッド部２２０２と電気的に連結されて、第３コネクター１２６は、第３パッド部２２０３と電気的に連結されて、第４コネクター１２８は、第４パッド部２２０４と電気的に連結されることができる。
【００４６】
第１基板１００は、素子１０２を含むことができる。素子１０２は、受動素子及び能動素子のうち少なくとも一つを含むことができ、様々な広さ及び高さを持つことができる。つまり、素子１０２は、複数の回路素子を意味して、第１基板１００の高さより高い高さを持ちながら外部に突出することができる。複数の回路素子１０２は、レンズモジュールと光軸方向にオーバーラップされないことがある。
【００４７】
第１基板１００は、ＦＰＣＢ１０４を含むことができる。第１基板１００は、ＦＰＣＢ１０４を含むＲＦＰＣＢ（Ｒｉｇｉｄ  Ｆｌｅｘｉｂｌｅ  Ｐｒｉｎｔｅｄ  Ｃｉｒｃｕｉｔ  Ｂｏａｒｄ）で構成されることができる。ＦＰＣＢ１０４は、カメラモジュール１０が取り付けられる空間が要求に応じてベンディング（ｂｅｎｄｉｎｇ）できる。
【００４８】
第１基板１００は、外部コネクター１０６を含むことができる。外部コネクター１０６は、第１基板１００をカメラモジュール１０の外部の電源またはその他の装置（例えば、ａｐｐｌｉｃａｔｉｏｎ  ｐｒｏｃｅｓｓｏｒ）と電気的に連結することができる。
【００４９】
カメラモジュール１０は、第２基板２００を含むことができる。第２基板２００は、第１基板１００上に配置されることができる。第２基板２００の少なくとも一部は、第１開口部１１０と光軸方向にオーバーラップされることができる。第２基板２００は、第１基板１００と電気的に連結されることができる。第２基板２００の少なくとも一部は、第１駆動部４００及び第２駆動部８００と光軸方向にオーバーラップされることができる。第２基板２００の少なくとも一部は、第１駆動部４００と第２駆動部８００の磁気的相互作用によって光軸に垂直な方向に移動したり回転することができる。第２基板２００の少なくとも一部は、第１駆動部４００と光軸方向に垂直な方向にオーバーラップされることができる。第２基板２００は、ボディー２１０と、突出部２２４と、パッド部２２０を含むことができる。
【００５０】
第２基板２００は、ボディー２１０を含むことができる。ボディー２１０は、四角プレート形状でありうる。ボディー２１０は、長方形状でありうる。ボディー２１０は、第１基板１００の第１開口部１１０上に配置されることができる。ボディー２１０は、第１開口部１１０と光軸方向にオーバーラップされることができる。ボディー２１０にはイメージセンサー３００と、第１駆動部４００の少なくとも一部と、ワイヤー１０００が配置されることができる。ボディー２１０の上面には複数の第１駆動ユニット４１０、４２０、４３０、４４０、４５０、４６０が配置されることができる。
【００５１】
ボディー２１０は、第２開口部２０２を含むことができる。第２開口部２０２にはイメージセンサー３００が配置されることができる。第２開口部２０２は、イメージセンサー３００と光軸方向にオーバーラップされることができる。
【００５２】
ボディー２１０は、ホール２０４を含むことができる。ボディー２１０のホール２０４は、ワイヤー１０００によって貫通することができる。ボディー２１０のホール２０４にはワイヤー１０００が融着などの方法で固定されることができる。
【００５３】
第２基板２００は、突出部２２４を含むことができる。突出部２２４は、ボディー２１０から延長形成されることができる。突出部２２４は、ボディー２１０の端部から延長形成されることができる。突出部２２４は、ボディー２１０の外側面から延長形成されることができる。突出部２２４は、ボディー２１０から光軸方向、上の方向または第１方向に延長形成されることができる。突出部２２４は、少なくとも一つの折曲部を含むことができる。前記少なくとも一つの折曲部の折曲角度（ａ）は鈍角でありうる。突出部２２４の少なくとも一部は、ボディー２１０上に配置されることができる。突出部２２４の少なくとも一部は、ボディー２１０の上面と離隔して配置されることができる。突出部２２４の少なくとも一部は、ボディー２１０の上に配置されることができる。
【００５４】
突出部２２４は、第１延長部２２２と、第２延長部２２５と、パッド部２２０を含むことができる。第１延長部２２２は、ボディー２１０から光軸方向に延長形成されることができる。第２延長部２２５は、第１延長部２２２と連結されることができる。第２延長部２２５は、第１延長部２２２と光軸に垂直な方向、つまり水平方向にオーバーラップされることができる。
【００５５】
突出部２２４は、複数の突出部を含むことができる。突出部２２４は、第１乃至第４突出部を含むことができる。第１及び第２突出部は、ボディー２１０の第１辺２１２から突出形成されて、第３及び第４突出部は、ボディー２１０の第１辺２１２と向かい合う第２辺２１６から突出形成されることができる。第１及び第２突出部は、ボディー２１０の一端から突出形成されて、第３及び第４突出部は、ボディー２１０の他端から突出形成されることができる。第１乃至第４突出部は、ボディー２１０の短辺から突出形成されることができる。第１乃至第４突出部は、各々離隔配置されることができる。第１乃至第４突出部は、各々第１延長部２２２と、第２延長部２２５を含むことができる。
【００５６】
第１突出部の第１延長部２２２１は、ボディー２１０の一端から突出形成されることができる。第１突出部の第１延長部２２２１は、ボディー２１０から第１方向に延長形成されることができる。第１突出部の第２延長部２２５１は、第１延長部２２２１から第１方向と異なる第２方向に延長形成されることができる。第１突出部の第２延長部２２５１は、ボディー２１０と光軸方向にオーバーラップされることができる。
【００５７】
第２突出部の第１延長部２２２２は、ボディー２１０の一端から突出形成されることができる。第２突出部の第１延長部２２２２は、ボディー２１０から第１方向に延長形成されることができる。第１突出部の第２延長部２２５２は、第１延長部２２２２から第２方向に延長形成されることができる。第２突出部の第２延長部２２５２は、ボディー２１０と光軸方向にオーバーラップされることができる。
【００５８】
第３突出部の第１延長部２２２３は、ボディー２１０の他端から突出形成されることができる。第３突出部の第１延長部２２２３は、ボディー２１０から第３方向に延長形成されることができる。第３突出部の第２延長部２２５３は、第１延長部２２２３から第１方向と異なる第４方向に延長形成されることができる。第３突出部の第２延長部２２５３は、ボディー２１０と光軸方向にオーバーラップされることができる。
【００５９】
第４突出部の第１延長部２２２４は、ボディー２１０の他端から突出形成されることができる。第４突出部の第１延長部２２２４は、ボディー２１０から第３方向に延長形成されることができる。第４突出部の第２延長部２２５４は、第１延長部２２２４から第４方向に延長形成されることができる。第４突出部の第２延長部２２５４は、ボディー２１０と光軸方向にオーバーラップされることができる。
【００６０】
ここで、第１方向と、第３方向は、光軸方向を意味することができる。さらに、第２方向と、第４方向は、ボディー２１０と前記光軸方向にオーバーラップされる領域を通る方向を意味することができる。さらに、第１方向は、第２基板２００のボディー２１０の第１短辺２１２を基準に上側方向を意味することができ、第２方向は、第１短辺２１２と向かい合う第２短辺２１６に向かう方向でありうる。この時、第３方向は、第２基板２００のボディー２１０の第２短辺２１６を基準に上側方向を意味することができ、第４方向は、第２短辺２１６に対応する第１短辺２１２に向かう方向を意味することもできる。しかし、第１方向乃至第４方向は、これに制限されず多様に変更されることができる。
【００６１】
この場合、図７に示したように展開図上にも適用されることができる。図７を参照すると、第１突出部の第１延長部２２２１の第１方向は、第２基板２００のボディー２１０を基準に上側方向であり、第１突出部の第２延長部２２５１の第２方向は、第２基板２００のボディー２１０を基準に上方向でない異なる方向を意味することができる。さらに、第３突出部の第１延長部２２２３の第３方向は、前記第１方向と異なる下方向で、第４方向は、第１方向と第３方向でない異なる方向を意味することができる。この場合、第２方向と第４方向は、同じ方向を意味することもでき、異なる方向を意味することもできる。
【００６２】
第２基板２００は、パッド部２２０を含むことができる。パッド部２２０は、一端が突出部２２４と連結されて、他端が第１基板１００のコネクター１２０と結合することができる。パッド部２２０の他端は、第１基板１１０上に配置されることができる。パッド部２２０は、第１パッドユニット２２６と、第２パッドユニット２２７と、第３パッドユニット２２８を含むことができる。第１パッドユニット２２６の一端は、ボディー２１０の短辺２１２、２１６に隣接するように配置されて、他端は、ボディー２１０の長辺２１４、２１８と隣接するように配置されることができる。第２パッドユニット２２７は、第１基板１００の第１開口部１１０と光軸方向に非オーバーラップされることができる。第３パッドユニット２２７は、第１基板１００の第１開口部１１０と隣接するように配置されることができる。第１パッドユニット２２６と第２パッドユニット２２７は全体的に“Ｌ”字状で形成されることができる。パッド部２２０は、複数のパッド部を含むことができる。複数のパッドユニットは、互いに離隔配置されることができる。複数のパッドユニットは、ボディー２１０と光軸方向に非オーバーラップされることができる。第１パッドユニット２２６と、第２パッドユニット２２７は、第１基板１００の第１開口部１１０と光軸方向にオーバーラップされることができる。パッド部２２０は、第１乃至第４パッド部２２０１、２２０２、２２０３、２２０４を含むことができる。第１乃至第４パッド部２２０１、２２０２、２２０３、２２０４は、各々第１パッドユニット２２６と、第２パッドユニット２２７と、第３パッドユニット２２８を含むことができる。
【００６３】
第１パッド部２２０１の第１パッドユニット２２６１は、第１突出部の第２延長部２２５１と連結されることができる。第１パッド部２２０１の第１パッドユニット２２６１は、第１突出部の第２延長部２２５１からベンディング形成されることができる。第１パッド部２２０１の第１パッドユニット２２６１は、第１突出部の第２延長部２２５１と所定の角度（ｂ）をなすことができる。ここで、所定の角度（ｂ）は、鋭角でありうる。第１パッド部２２０１の第２パッドユニット２２７１は、第１パッド部の第１パッドユニット２２６１からベンディング形成されることができる。第１パッド部２２０１の第２パッドユニット２２７１は、第１パッド部２２０１の第１パッドユニット２２６１と所定の角度（ｃ）をなすことができる。ここで、所定の角度は直角でありうる。第１パッド部２２０１の第３パッドユニット２２８１は、第１パッド部２２０１の第２パッドユニット２２７１からベンディング形成されることができる。第１パッド部２２０１の第３パッドユニット２２８１は、第１基板１００上に配置されることができる。第１パッド部２２０１の第３パッドユニット２２８１は、第１コネクター１２２と結合することができる。
【００６４】
第２パッド部２２０２の第１パッドユニット２２６２は、第２突出部の第２延長部２２５２と連結されることができる。第２パッド部２２０２の第１パッドユニット２２６２は、第２突出部の第２延長部２２５２からベンディング形成されることができる。第２パッド部２２０２の第１パッドユニット２２６２は、第２突出部の第２延長部２２５２と所定の角度（ｂ）をなすことができる。ここで、所定の角度（ｂ）は鋭角でありうる。第２パッド部２２０２の第２パッドユニット２２７２は、第２パッド部の第１パッドユニット２２６２からベンディング形成されることができる。第２パッド部２２０２の第２パッドユニット２２７２は、第２パッド部２２０２の第１パッドユニット２２６２と所定の角度（ｃ）をなすことができる。ここで、所定の角度は直角でありうる。第２パッド部２２０２の第３パッドユニット２２８２は、第２パッド部２２０２の第２パッドユニット２２７２からベンディング形成されることができる。第２パッド部２２０２の第３パッドユニット２２８２は、第１基板１００上に配置されることができる。第２パッド部２２０２の第３パッドユニット２２８２は、第２コネクター１２４と結合することができる。
【００６５】
第３パッド部２２０３の第１パッドユニット２２６３は、第３突出部の第２延長部２２５３と連結されることができる。第３パッド部２２０３の第１パッドユニット２２６３は、第３突出部の第２延長部２２５３からベンディング形成されることができる。第３パッド部２２０３の第１パッドユニット２２６３は、第３突出部の第２延長部２２５３と所定の角度（ｂ）をなすことができる。ここで、所定の角度（ｂ）は鋭角でありうる。第３パッド部２２０３の第２パッドユニット２２７３は、第３パッド部の第１パッドユニット２２６３からベンディング形成されることができる。第３パッド部２２０３の第２パッドユニット２２７３は、第３パッド部２２０３の第１パッドユニット２２６３と所定の角度（ｃ）をなすことができる。ここで、所定の角度は直角でありうる。第３パッド部２２０３の第３パッドユニット２２８３は、第３パッド部２２０３の第２パッドユニット２２７３からベンディング形成されることができる。第３パッド部２２０３の第３パッドユニット２２８３は、第１基板１００上に配置されることができる。第３パッド部２２０３の第３パッドユニット２２８３は、第３コネクター１２６と結合することができる。
【００６６】
第４パッド部２２０４の第１パッドユニット２２６４は、第４突出部の第２延長部２２５４と連結されることができる。第４パッド部２２０４の第１パッドユニット２２６４は、第４突出部の第２延長部２２５４からベンディング形成されることができる。第４パッド部２２０４の第１パッドユニット２２６４は、第４突出部の第２延長部２２５４と所定の角度（ｂ）をなすことができる。ここで、所定の角度（ｂ）は鋭角でありうる。第４パッド部２２０４の第２パッドユニット２２７４は、第４パッド部の第１パッドユニット２２６４からベンディング形成されることができる。第４パッド部２２０４の第２パッドユニット２２７４は、第４パッド部２２０４の第１パッドユニット２２６４と所定の角度（ｃ）をなすことができる。ここで、所定の角度は直角でありうる。第４パッド部２２０４の第３パッドユニット２２８４は、第４パッド部２２０４の第２パッドユニット２２７４からベンディング形成されることができる。第４パッド部２２０４の第３パッドユニット２２８４は、第１基板１００上に配置されることができる。第４パッド部２２０４の第３パッドユニット２２８４は、第４コネクター１２８と結合することができる。
【００６７】
第２基板２００は、イメージセンサー３００が配置される第１領域２１０と、第１領域２１０の一端から第１方向にベンディングされた第２領域２２２と、第２領域２２２の一端から第２方向にベンディングされた第３領域２２５を含むことができる。第２領域２２２は、第１駆動部４００と光軸に垂直な方向、つまり水平方向にオーバーラップされることができる。
【００６８】
カメラモジュール１０は、イメージセンサー３００を含むことができる。イメージセンサー３００は、第２基板２００上に配置されることができる。イメージセンサー３００は、第２基板２００に形成された第２開口部２０２に配置されることができる。これとは異なって、イメージセンサー３００は、別の支持部材に実装されて、第２開口部２０２と光軸方向にオーバーラップされる位置に配置されることができる。イメージセンサー３００は、第２基板２００の第２開口部２０２に対応する長方形状で形成されることができる。イメージセンサー３００は、レンズモジュールを通過した光をイメージデータに変換する機能を行うことができる。さらに具体的に、イメージセンサー３００は、複数のピクセルを含むピクセルアレイを介して光をアナログ信号に変換して、アナログ信号に相応するデジタル信号を合成してイメージデータを生成することができる。
【００６９】
カメラモジュール１０は、第１駆動部４００を含むことができる。第１駆動部４００は、第２基板２００上に配置されることができる。第１駆動部４００は、第２駆動部８００と電磁気的相互作用をすることができる。第１駆動部４００と第２駆動部８００の電磁気的相互作用により、第１基板１００に対して第２基板２００を移動または回転させることができる。第１駆動部４００は、複数の第１駆動ユニット４１０、４２０、４３０、４４０、４５０、４６０と、第３基板５００を含むことができる。
【００７０】
複数の第１駆動ユニット４１０、４２０、４３０、４４０、４５０、４６０は、第２基板２００のボディー２１０の表面に配置されることができる。複数の第１駆動ユニット４１０、４２０、４３０、４４０、４５０、４６０は、各々Ｎ極とＳ極で磁化されたマグネットを含むことができる。複数の第１駆動ユニット４１０、４２０、４３０、４４０、４５０、４６０は、イメージセンサー３００の周りと隣接するように配置されることができる。
【００７１】
複数の第１駆動ユニット４１０、４２０、４３０、４４０、４５０、４６０は、イメージセンサー３００の第１辺の両端に隣接するように配置される二つの第１駆動ユニット４１０、４４０と、イメージセンサー３００の前記第１辺と向かい合う第２辺の両端に隣接するように配置される二つの第１駆動ユニット４３０、４６０と、前記イメージセンサーの第３辺と第４辺の中央領域に隣接するように配置される二つの第１駆動ユニット４２０、４５０を含むことができる。
【００７２】
複数の第１駆動ユニット４１０、４２０、４３０、４４０、４５０、４６０は、イメージセンサー３００の角の領域に隣接するように配置される４つの第１駆動ユニット４１０、４３０、４４０、４６０とイメージセンサー３００の辺の中心領域に隣接するように配置される二つの第１駆動ユニット４２０、４５０を含むことができる。
【００７３】
複数の第１駆動ユニット４１０、４２０、４３０、４４０、４５０、４６０は、第２基板２００のボディー２１０の角に隣接するように配置されて第３辺２１４について延長形成される二つの第１駆動ユニット４１０、４４０と、第２基板２００のボディー２１０の角に隣接するように配置されて第３辺２１４と向かい合う第４辺２１８に沿って延長形成される二つの第１駆動ユニット４３０、４６０と、第２基板２００のボディー２１０の第１辺２１２の中央領域に隣接するように配置されて第１辺２１２に沿って延長形成される一つの第１駆動ユニット４２０と、第２基板２００のボディー２１０の第２辺２１６の中央領域に隣接するように配置されて第２辺２１６について延長形成される一つの第１駆動ユニット４５０を含むことができる。
【００７４】
複数の第１駆動ユニット４１０、４２０、４３０、４４０、４５０、４６０は、第２基板２００の一部と光軸に垂直な方向にオーバーラップされることができる。具体的に、複数の第１駆動ユニット４１０、４２０、４３０、４４０、４５０、４６０は、第２基板２００の突出部２２４と、パッド部２２０と光軸に垂直な方向にオーバーラップされることができる。複数の第１駆動ユニット４１０、４２０、４３０、４４０、４５０、４６０の中の一つ４１０は、第１突出部の第２延長部２２５１の一側に配置されて、他の一つ４２０は、第２延長部２２５１の他方に配置されることができる。
【００７５】
複数の第１駆動ユニット４１０、４２０、４３０、４４０、４５０、４６０の中の一つ４１０は、第１突出部の第２延長部２２５１と第１パッド部２２０１の第１パッドユニット２２６１との間に配置されて、他の一つ４２０は、第１突出部の第２延長部２２５１と第２突出部の第２延長部２２５２との間に配置されて、さらに他の一つ４３０は、第２突出部の第２延長部２２５２と第２パッド部２２０２の第１パッドユニット２２６２との間に配置されて、さらに他の一つ４４０は、第３パッド部２２０３の第１パッドユニット２２６３と第３突出部の第２延長部２２５３との間に配置されて、さらに他の一つ４５０は、第３突出部の第２延長部２２５３と第４突出部の第２延長部２２５４との間に配置されて、さらに他の一つ４６０は、第４突出部の第２延長部２２５４と第４パッド部２２０４の第１パッドユニット２２６４との間に配置されることができる。
【００７６】
第３基板５００には複数の第１駆動ユニット４１０、４２０、４３０、４４０、４５０、４６０が配置されることができる。第３基板５００は、第３開口部５０２と、複数のホール５１０、５２０、５３０、５４０、５５０、５６０を含むことができる。第３開口部５０２は、イメージセンサー３００と光軸方向にオーバーラップされることができる。第３開口部５０２にはフィルター６００が配置されることができる。第３基板５００の複数のホール５１０、５２０、５３０、５４０、５５０、５６０には複数の第１駆動ユニット４１０、４２０、４３０、４４０、４５０、４６０が配置されることができる。第３基板５００の複数のホール５１０、５２０、５３０、５４０、５５０、５６０は、各々複数の第１駆動ユニット４１０、４２０、４３０、４４０、４５０、４６０と各々対応する位置に形成されて、対応する形状で形成されることができる。第３基板５００は、絶縁材質で形成されるが、これに制限されず多様に変更されることができる。
【００７７】
さらに、第３基板５００は、外側面で延長形成されるスリットまたは上下方向に延長形成されるホールを含むことができる。第３基板５００の複数のスリットまたはホールは、第２基板２００のホール２０４と、ホルダー９００のアーム９１２と光軸方向にオーバーラップされる位置に形成されることができる。これにより、ワイヤー１００がホルダー９００のアーム９１２と第２基板２００のホール２０４に連結される場合、干渉現象が発生するのを防止することができる。第３基板５００のスリットは、複数のスリットを含むか、第３基板５００のホールは複数のホールを含むことができる。
【００７８】
カメラモジュール１０は、フィルター６００を含むことができる。フィルター６００は、第１レンズ部１２００、液体レンズ部１４００及び第２レンズ部１３００を通過した光に対して特定波長範囲に該当する光をフィルタリングすることができる。フィルター６００は、赤外線（ＩＲ）遮断フィルターまたは紫外線（ＵＶ）遮断フィルターでありうるが、本発明の範囲はこれに限定されない。フィルター６００は、イメージセンサー３００の上に配置されることができる。フィルター６００は、第３基板５００の内部に配置されることもできる。フィルター６００は、第３基板５００の第３開口部５０２に配置されることもできる。フィルター６００は、第３基板５００の内部溝または端子に配置されるか取り付けられることができる。
【００７９】
カメラモジュール１０は、第２駆動部８００を含むことができる。第２駆動部８００は、第１駆動部４００に対応することができる。具体的に、第２駆動部８００は、第１駆動部４００と対向または対面する位置に配置されることができる。第２駆動部８００は、複数の第２駆動ユニット８１０、８２０、８３０、８４０、８５０、８６０と、第４基板７００を含むことができる。
【００８０】
複数の第２駆動ユニット８１０、８２０、８３０、８４０、８５０、８６０は、複数の第１駆動ユニット４１０、４２０、４３０、４４０、４５０、４６０と各々対向または対面することができる。複数の第２駆動ユニット８１０、８２０、８３０、８４０、８５０、８６０は、複数の第１駆動ユニット４１０、４２０、４３０、４４０、４５０、４６０と各々光軸方向にオーバーラップされることができる。複数の第２駆動ユニット８１０、８２０、８３０、８４０、８５０、８６０は、複数の第１駆動ユニット４１０、４２０、４３０、４４０、４５０、４６０と対応する形状で形成されることができる。複数の第２駆動ユニット８１０、８２０、８３０、８４０、８５０、８６０は、コイルを含むことができる。複数の第２駆動ユニット８１０、８２０、８３０、８４０、８５０、８６０は、第４基板７００の下面に配置されることができる。複数の第２駆動ユニット８１０、８２０、８３０、８４０、８５０、８６０は、パターンコイル(Ｆｉｎｅ  Ｐａｔｔｅｒｎ  Ｃｏｉｌ)を含むことができる。
【００８１】
第４基板７００には複数の第２駆動ユニット８１０、８２０、８３０、８４０、８５０、８６０が配置されることができる。第４基板７００の下面には複数の第２駆動ユニット８１０、８２０、８３０、８４０、８５０、８６０が配置されることができる。第４基板７００は、第４開口部７０２と、端子部７１０を含むことができる。第４開口部７０２は、イメージセンサー３００と光軸方向にオーバーラップされることができる。端子部７１０は、第４基板７００の側面から光軸方向またはの下方向に延長形成されることができる。端子部７１０の一端は、第４基板７００の側面から延長形成されて、他端は、第１基板１００の第１開口部１１０に形成された溝に配置されることができる。端子部７１０は、第４基板７００と第１基板１００を電気的に連結することができる。
【００８２】
カメラモジュール１０は、ホルダー９００を含むことができる。ホルダー９００は、第１駆動部４００と第２駆動部８００との間に配置されることができる。ホルダー９００は、第１基板１００上に固定配置されることができる。ホルダー９００は、第１基板１００と光軸方向にオーバーラップされることができる。ホルダー９００は、複数の第１駆動ユニット４１０、４２０、４３０、４４０、４５０、４６０と、複数の第２駆動ユニット８１０、８２０、８３０、８４０、８５０、８６０と、第２基板２００の突出部２２４と、パッド部２２０と光軸方向に非オーバーラップされることができる。これにより、第１基板１００上に固定配置されるホルダー９００が、複数の第１駆動ユニット４１０、４２０、４３０、４４０、４５０、４６０と複数の第２駆動ユニット８１０、８２０、８３０、８４０、８５０、８６０との間に発生する電磁気的相互作用に及ぼす影響を減らすことができる。ホルダー９００は、支持部９１０と、中央部９２０と、アーム９１２（Ａｒｍ）を含むことができる。
【００８３】
支持部９１０は、第１基板１００の上面に接着剤などを利用して固定されることができる。支持部９１０は、中央部９２０から外側に延長形成されて、下へ延長形成されることができる。本発明の一実施例では、６つの領域で支持部９１０が第１基板１００の上面に配置される例を挙げて説明するか、これに制限されず支持部９１０の形状は多様に変更されることができる。
【００８４】
さらに、支持部９１０は、複数の第１駆動ユニット４１０、４２０、４３０、４４０、４５０、４６０と、複数の第２駆動ユニット８１０、８２０、８３０、８４０、８５０、８６０と、第２基板２００の突出部２２４と、パッド部２２０と光軸方向にオーバーラップされない形状で形成されることができる。具体的に、支持部９１０は第２基板２００の第１短辺２１２と第２短辺２１６に隣接する第２基板２００の上面に配置される第１及び第２支持ユニットと、第１長辺２１４と第２長辺２１８に隣接する第２基板２００の上面に配置される二つの第２支持ユニットを含むことができる。この時、第２支持ユニットは「
2021536589.tif 000003
」の字形状で形成されることができる。さらに、第１及び第２支持ユニットは、第４基板７００の端子部７１０が配置されるように支持部９１０の中央方向に窪んで形成されるホールを含むことができる。
【００８５】
中央部９２０は、六角プレート形状で形成されることができる。中央部９２０は、第１基板１００の第１開口部１１０の上に配置されることができる。中央部９２０は、第５開口部９２２を含むことができる。第５開口部９２２は、中央部９２０の中央領域に配置されることができる。第５開口部９２２は、イメージセンサー３００とフィルター６００とレンズモジュールと光軸方向にオーバーラップされることができる。第５開口部９２２は、第４開口部７０２と第３開口部５０２との間に配置されることができる。第５開口部９２２は、円形状でありうる。
【００８６】
さらに、中央部９２０は、複数の第１駆動ユニット４１０、４２０、４３０、４４０、４５０、４６０と、複数の第２駆動ユニット８１０、８２０、８３０、８４０、８５０、８６０と、第２基板２００の突出部２２４と、パッド部２２０と光軸方向にオーバーラップされない形状で形成されることができる。具体的に、中央部９２０は、外側面と第５開口部９２２との間に配置されるホールを含むことができる。中央部９２０のホールは、複数の第１駆動ユニット４１０、４２０、４３０、４４０、４５０、４６０と、複数の第２駆動ユニット８１０、８２０、８３０、８４０、８５０、８６０の少なくとも一部と対応する形状で形成されて対応する位置に配置されることができる。本発明の一実施例で中央部９２０のホールは、複数の第１駆動ユニット４１０、４２０、４３０、４４０、４５０、４６０中二つの第１駆動ユニット４２０、４５０及び第２駆動ユニット８１０、８２０、８３０、８４０、８５０、８６０中二つの第２駆動ユニット８２０、８５０と光軸方向にオーバーラップされない位置に、二つの第１駆動ユニット４２０、４５０及び二つの第２駆動ユニット８２０、８５０に対応する形状で形成されるのを例に挙げて説明するか、これに制限されず多様に変更されることができる。
【００８７】
アーム９１２は、支持部９１０から光軸に垂直な方向に延長形成されることができる。アーム９１２は、支持部９１０からホルダー９００の内側領域に延長形成されることができる。アーム９１２は、金属材質で形成されることができる。アーム９１２に形成されたホールにはワイヤー１０００が結合することができる。アーム９１２は、各々離隔形成される複数のアームを含むことができる。本発明の一実施例で複数のアームは、４つを例に挙げて説明するが、これに制限されずワイヤー１０００の個数に応じて多様に変更されることができる。
【００８８】
カメラモジュール１０は、ワイヤー１０００を含むことができる。ワイヤー１０００は、第２基板２００とホルダー９００と結合することができる。ワイヤー１０００の一端は、第２基板２００のホール２０４に結合されて、他端は、ホルダー９００のアーム９１２のホールに結合することができる。ワイヤー１０００は、光軸方向に延長形成されることができる。ワイヤー１０００は、第２基板２００の移動または回転を弾性支持することができる。ワイヤー１０００は、複数のワイヤーを含むことができる。本発明の一実施例でワイヤーは、４つであることを例に挙げて説明するが、これに制限されずワイヤー１０００の個数は多様に変更されることができる。
【００８９】
カメラモジュール１０は、レンズホルダー１１００を含むことができる。レンズホルダー１１００は、第１開口を持つ第１側面１１０２と、前記第１開口と光軸方向に垂直な方向に対面する第２開口を持つ第２側面１１０４を含むことができる。レンズホルダー１１００は、上部が下部が開放される貫通ホールを含むことができて、第１レンズ部１２００と、液体レンズ部１４００と、第２レンズ部１３００は、レンズホルダー１１００の内部に形成された貫通ホールに配置されることができる。第１レンズ部１２００と第２レンズ部１３００は、固体レンズ部でありうる。第１レンズ部１２００は、レンズホルダー１１００の上部に形成される上部ホールに結合されて、第２レンズ部１３００は、レンズホルダー１１００の下部に形成される下部ホールに結合することができる。液体レンズ部１４００は、前記上部ホールと前記下部ホールとの問に位置する第１開口及び／または第２開口に配置及び結合されるか、第１開口と第２開口との問に配置及び結合することができる。カメラモジュール１０の外部から第１レンズ１２００に入射する光は、液体レンズ部１４００を通り第２レンズ部１３００に入射することができる。
【００９０】
カメラモジュール１０は、第１レンズ部１２００及び第２レンズ部１３００を含むことができる。第１レンズ部１２００は、レンズホルダー１１００の上部ホールに配置されることができる。第２レンズ部１３００は、レンズホルダー１１００の下部ホールに配置されることができる。第１レンズ部１２００と第２レンズ部１３００は、少なくとも一つのレンズを含むことができる。
【００９１】
第１レンズ部１１００の前面には露出レンズ（図示せず）が備えられ、露出レンズの前方にはカバーグラス（ｃｏｖｅｒ  ｇｌａｓｓ）が配置されることができる。露出レンズは、レンズホルダー９００の外部に突出するので外部に露出して表面が損傷する恐れがある。仮に、レンズの表面が損傷する場合、カメラモジュール１０で撮影されるイメージの画質が低下することがある。従って、露出レンズの表面損傷を防止及び抑制するために、カバーグラスを配置させたりコーティング層を形成したり露出レンズの表面損傷を防止するために第１レンズ部１２００または第２レンズ部１３００を構成するレンズより剛性が高い耐摩耗性材質で露出レンズを構成する方法などが適用されることができる。
【００９２】
カメラモジュール１０は、液体レンズ部１４００を含むことができる。液体レンズ部１４００は、レンズホルダー１１００に配置されることができる。液体レンズ部１４００は、レンズホルダー１１００の側壁１１０２、１１０４に形成された第１開口または第２開口に挿入されたり配置されることができる。液体レンズ部１４００は、個別電極連結基板１４１０と、液体レンズ１４２０と、スペーサー１４３０と、共通電極連結基板１４４０を含むことができる。
【００９３】
個別電極連結基板１４１０は、液体レンズ部１４００の個別電極を第１基板１００に電気的に連結することができる。個別電極連結基板１４１０は、ＦＰＣＢで具現されることができる。液体レンズ１４２０は、各々異なる二つの液体を収容できるように形成された複数のプレートを含むことができる。
【００９４】
スペーサー１４３０は、液体レンズ１４２０を囲みながら結合することができて、液体レンズ１４２０を外部衝撃から保護することができる。さらに、スペーサー１４３０は、レンズホルダー１１００への挿入またはアクティブアライン（ａｃｔｉｖｅ  ａｌｉｇｎ）過程でグリッパー（ｇｒｉｐｐｅｒ）と接触することができる。
【００９５】
共通電極連結基板１４４０は、液体レンズ部１４００の共通電極を第１基板１００に電気的に連結することができる。共通電極連結基板１４４０は、軟性回路基板（ＦＰＣＢ）または単一メタル基板（伝導性メタルプレート）で具現されることもでき、液体レンズ１４２０の共通電極に対応する位置に露出したパッド及び第１基板１００の共通電極用パッドに対応する位置に露出したパッドを除いた少なくとも一部領域に絶縁層を含むメタル基板で具現されることもできる。
【００９６】
共通電極連結基板１４４０及び個別電極連結基板１４１０は、各々第１基板１００に向かってベンディングされることができる。個別電極連結基板１４１０は、各個別電極と電気的に連結された連結パッドを介して第１基板１００上に形成された電極パッドと電気的に連結されることができる。連結パッドと電極パッドは、伝導性エポキシ（ｃｏｎｄｕｃｔｉｖｅ  ｅｐｏｘｙ）またはソルダリングによって電気的に連結されるが、本発明の範囲はこれに限定されない。
【００９７】
同様に、共通電極連結基板１４４０は、共通電極と電気的に連結された連結パッドを介して第１基板１００上に形成された電極パッドと電気的に連結されることができる。
【００９８】
ここで、共通電極連結基板１４４０及び個別電極連結基板１４１０と連結される電極パッドは、各々第１パッド部材及び第２パッド部材で定義されることができて、第１パッド部材及び第２パッド部材は、液体レンズの中心で第１基板１００上に配置される素子１０２から遠くなる方向に配置されることができる。
【００９９】
共通電極連結基板１４４０と個別電極連結基板１４１０を介して印加される駆動電圧によって伝導性液体と非伝導性液体の界面が変形されて、液体レンズ部１４００の曲率及び／または焦点距離が変更されることができる。このような界面の変形、曲率変更が制御されると、液体レンズ部１４００とこれを含むカメラモジュール１０及び光学機器は、オートフォーカシング（Ａｕｔｏ−Ｆｏｃｕｓｉｎｇ；ＡＦ）機能、手振れ補正乃至映像揺れ防止（Ｏｐｔｉｃａｌ  Ｉｍａｇｅ  Ｓｔａｂｉｌｉｚｅｒ，ＯＩＳ）機能などを行うことができる。
【０１００】
図１０乃至図１３は、本発明の一実施例に係るカメラモジュールの同作図である。
【０１０１】
以下、図１０乃至図１３を参照して本発明の一実施例に係るカメラモジュールの動作に対して説明する。
【０１０２】
図１０及び図１１を参照すると、第１駆動部４００と第２駆動部８００の電磁気的相互作用により、第２基板２００は、ｘ軸方向に移動する。この時、少なくとも２回折り曲げられる第２基板２００の突出部２２４とパッド部２２０がｘ軸に移動するようになる。
【０１０３】
図１０及び図１２を参照すると、第１駆動部４００と第２駆動部８００の電磁気的相互作用により、第２基板２００は、ｙ軸方向に移動する。この時、少なくとも２回折り曲げられる第２基板２００の突出部２２４とパッド部２２０がｙ軸に移動するようになる。
【０１０４】
図１０及び図１３を参照すると、第１駆動部４００と第２駆動部８００の電磁気的相互作用により、第２基板２００一方向に回転する。この時、少なくとも２回折り曲げられる第２基板２００の突出部２２４とパッド部２２０が一方向に回転するようになる。
【０１０５】
本発明の実施例に係るカメラモジュール１０は、少なくとも２回折り曲げられる第２基板２００の突出部２２４とパッド部２２０によりバネ剛性が減ってテンション（ｔｅｎｓｉｏｎ）が減少する。従って、センサー駆動装置のサイズを減らし、消費電力を減少させることができる。さらに、剛性の対称構造でセンサー駆動装置の消費電力を減少させることができる。従って、カメラモジュール１０の大きさを減らし消費電力と減少させることができる。
【０１０６】
以上、添付図を参照して本発明の実施例を説明したが、本発明が属する技術分野において通常の知識を有する者は、本発明がその技術的思想でも必須的な特徴を変更せず別の具体的な形態で実施できることを理解することができる。従って、以上で記述した実施例は、すべての面で例示的なものであり、限定的ではないものと理解しなければならない。
【図１】
2021536589.tif 000004
【図２】
2021536589.tif 000005
【図３】
2021536589.tif 000006
【図４】
2021536589.tif 000007
【図５】
2021536589.tif 000008
【図６】
2021536589.tif 000009
【図７】
2021536589.tif 000010
【図８】
2021536589.tif 000011
【図９】
2021536589.tif 000012
【図１０】
2021536589.tif 000013
【図１１】
2021536589.tif 000014
【図１２】
2021536589.tif 000015
【図１３】
2021536589.tif 000016
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
第１基板と、
前記第１基板に配置されて前記第１基板と電気的に連結される第２基板と、
前記第２基板に配置されるイメージセンサーと、を含み、
前記第２基板は、ボディーと、前記ボディーの一端から突出した第１突出部を含み、
前記第１突出部は、前記ボディーから第１方向に延びた第１延長部と、前記第１延長部から前記第１方向と異なる第２方向に延びた第２延長部を含む、センサー駆動装置。
【請求項２】
前記第２基板は、前記ボディーの前記一端から突出して前記第１突出部と離隔する第２突出部を含み、
前記第２突出部は、前記ボディーから前記第１方向に延びた第１延長部と、前記第２突出部の前記第１延長部から前記第１方向と異なる第３方向に延びた第２延長部を含む、請求項１に記載のセンサー駆動装置。
【請求項３】
前記第２基板は、前記ボディーの他端から突出され互いに離隔される第３突出部と第４突出部を含み、
前記第３突出部は、前記ボディーから前記第１方向に延びた第１延長部と、前記第３突出部の前記第１延長部から前記第１方向と異なる第４方向に延びた第２延長部を含み、
前記第４突出部は、前記ボディーから前記第１方向に延びた第１延長部と、前記第４突出部の前記第１延長部から前記第１方向と異なる第５方向に延びた第２延長部を含む、請求項２に記載のセンサー駆動装置。
【請求項４】
前記ボディーの前記一端は、前記ボディーの第１外側面であり、
前記ボディーの前記他端は前記ボディーの前記第１外側面の反対側の第２外側面であり、
前記第１方向は、光軸方向であり、
前記第２乃至第５方向は、前記光軸方向と垂直な方向である、請求項３に記載のセンサー駆動装置。
【請求項５】
前記第１突出部の第２延長部と、前記第２突出部の第２延長部と、前記第３突出部と第２延長部と、前記第４突出部の第２延長部は、前記ボディーと前記光軸方向にオーバーラップされる、請求項４に記載のセンサー駆動装置。
【請求項６】
前記第２基板は、一端が前記第１突出部と連結されて、他端が前記第１基板に配置される第１パッド部を含む、請求項１に記載のセンサー駆動装置。
【請求項７】
前記第１パッド部は、前記第１突出部の前記第２延長部でベンディングされる第１パッドユニットと、前記第１パッドユニットでベンディングされる第２パッドユニットと、前記第２パッドユニットでベンディングされる第３パッドユニットを含む、請求項６に記載のセンサー駆動装置。
【請求項８】
前記第２基板は、一端が前記第１突出部と連結されて、他端が前記第１基板に配置される第１パッド部と、一端が前記第２突出部と連結されて、他端が前記第１基板に配置される第２パッド部と、一端が前記第３突出部と連結されて、他端が前記第１基板に配置される第３パッド部と、一端が前記第４突出部と連結されて、他端が前記第１基板に配置される第４パッド部を含む、請求項５に記載のセンサー駆動装置。
【請求項９】
前記第１乃至第４パッド部は、互いに離隔配置されて、前記ボディーと光軸方向にオーバーラップされない、請求項８に記載のセンサー駆動装置。
【請求項１０】
前記第２基板に配置される第１駆動部、及び
前記第１駆動部と対応する第２駆動部を含む、請求項１に記載のセンサー駆動装置。
【請求項１１】
前記第１基板に配置されるコイルと、前記第２基板に配置されるマグネットを含み、
前記コイルに電流が印加されると前記マグネットは前記イメージセンサーと共に前記第１基板に対して移動する、請求項１に記載のセンサー駆動装置。
【請求項１２】
前記第１駆動部は６つのマグネットを含み、
前記第２駆動部は前記６つのマグネットと対応する６つのコイルを含む、請求項１０に記載のセンサー駆動装置。
【請求項１３】
前記６つのマグネットのうち４つのマグネットは前記イメージセンサーの４つのコーナーに各々隣接するように配置され、他の２つのマグネットは前記４つのマグネットの間に配置される、請求項１２に記載のセンサー駆動装置。
【請求項１４】
請求項１のセンサー駆動装置、
前記センサー駆動装置の前記第２基板の上に配置されるレンズホルダー、及び
前記レンズホルダーに配置される液体レンズを含む、カメラモジュール。
【請求項１５】
ハウジング、
前記ハウジングに配置される請求項１４のカメラモジュール、及び
前記ハウジングに配置されるディスプレイを含む、光学機器。
【請求項１６】
第１基板と、
前記第１基板と電気的に連結される第２基板と、
前記第２基板に配置されるイメージセンサーと、
前記第１基板に配置されるホルダーと、
前記ホルダーに配置されるレンズホルダーと、
前記レンズホルダーに配置されるレンズと、
前記第２基板に配置される第１駆動部と、
前記第１駆動部と対応する位置に配置され、前記第１駆動部と電磁気的相互作用する第２駆動部と、を含み、
前記第２基板はボディーと、前記ボディーの一端から突出された突出部を含み、
前記突出部は前記ボディーから第１方向に延びた第１延長部と、前記第１延長部から前記第１方向と異なる第２方向に延びた第２延長部を含む、カメラモジュール。
【請求項１７】
前記第１駆動部は６つのマグネットを含み、
前記第２駆動部は前記６つのマグネットと対応する６つのコイルを含む、請求項１６に記載のセンサー駆動装置。
【請求項１８】
前記６つのマグネットのうち４つのマグネットは前記イメージセンサーの４つのコーナーに各々隣接するように配置され、他の２つのマグネットは前記４つのマグネットの間に配置される、請求項１７に記載のセンサー駆動装置。
【請求項１９】
前記第１方向は光軸方向であり、前記第２方向は前記光軸方向に垂直な方向である、請求項１６に記載のカメラモジュール。
【請求項２０】
第１基板と、
前記第１基板と電気的に連結される第２基板と、
前記第２基板に配置されるイメージセンサーと、
前記第１基板に配置されるホルダーと、
前記ホルダーに配置されてオートフォーカス機能を行う焦点調節部と、
前記イメージセンサーを光軸方向に垂直な方向に移動させる駆動部と、を含み、
前記第２基板はボディーと、前記ボディーの一端から突出された突出部を含み、
前記突出部は前記ボディーから前記光軸方向に延びた第１延長部と、前記第１延長部から前記光軸に垂直な方向に延びた第２延長部を含む、カメラモジュール。
【国際調査報告】
2021536589.tif 000017
2021536589.tif 000018
2021536589.tif 000019
2021536589.tif 000020